(57)【要約】【課題】ＤＶＡ動体視力とＫＶＡ動体視力の両方を測定可能にするとともに、ＫＶＡ動体視力測定において指標の移動の高速化を実現した動体視力測定装置を提供する。【解決手段】動体表示手段の表示面を、被検者の位置に近い近接部と遠い遠隔部が連続するように形成するとともに、被検者の位置と表示される動体との仮想的な距離と方向から動体の角速度または角加速度を決定し、その値にしたがって表示面の遠隔部と近接部の間を移動する動体の映像の速度や大きさを制御する表示制御手段を設けてなる動体視力測定装置。【選択図】図１
2005253503.tif 000002
【特許請求の範囲】
【請求項１】
動体表示手段の表示面を、被検者の位置に近い近接部と遠い遠隔部が連続するように形成するとともに、この表示面の遠隔部と近接部の間を動体の映像が移動するように表示する表示制御手段を設けてなる動体視力測定装置。
【請求項２】
前記表示制御手段は、被検者の位置と動体の映像との仮想的な距離と方向から動体の映像の角速度または角加速度を決定し、その値にしたがって動体の映像の速度や大きさを制御するものであることを特徴とする請求項１記載の動体視力測定装置。
【請求項３】
前記動体表示手段が、ＥＬ素子により形成されていることを特徴とする請求項１記載の動体視力測定装置。
【請求項４】
前記表示面が、凹曲面により構成されていることを特徴とする請求項１記載の動体視力測定装置。
【発明の詳細な説明】
【技術分野】
【０００１】
本発明は、被検者の動的視覚能力を測定する動体視力測定装置に関する。詳細にはＤＶＡ動体視力とＫＶＡ動体視力の相関を含めた実際的な動的視覚能力を測定できる動体視力測定装置に関する。
【背景技術】
【０００２】
各種スポーツにおいて優れた運動能力を発揮するためには、動体を明視する能力である動的視覚能力が重要であることが知られている。また、車両等の運転においても走行中に標示、標識、信号などを的確に判断する必要があり、安全性の観点からも動的視覚能力は重要である。
【０００３】
この動的視覚能力には、主に上下左右方向に移動する視標を明視する能力であるＤＶＡ（Ｄｙｎａｍｉｃ  Ｖｉｓｕａｌ  Ａｃｕｉｔｙ）動体視力と、主に前後方向に移動する指標を明視する能力であるＫＶＡ（Ｋｉｎｅｔｉｃ  Ｖｉｓｕａｌ  Ａｃｕｉｔｙ）動体視力とがある。
【０００４】
ＤＶＡ動体視力は主に眼球の動きによる能力で、サッカーやバスケットボールなどの人の動きを把握する必要のあるスポーツに重要と考えられている。
また、ＫＶＡ動体視力は眼球の動きを伴わない水晶体の反応速度によるもので、野球やテニスなどの高速で迫ってくるボールを捉えるスポーツや車両等の運転に重要と考えられている。
【０００５】
従来、ＤＶＡ動体視力を測定する装置として興和株式会社製の横方向動体視力計（製品名ＨＩ−１０）が知られており、プロジェクタでスクリーン上に投影したランドルト環を左右方向に移動させる構造をとる（特許文献１）。しかし、スクリーンをプロジェクタから等距離に配置する必要があるため装置が大掛かりにであることや、高価であるなどの問題があった。
【０００６】
ＫＶＡ動体視力を測定する装置としては、株式会社ニデック製の動体視力計（ＫＶ−１００）が知られており、視標やプリズムなどを移動させて距離を変化させる構造をとる（特許文献２）。しかしプリズムなどの物体を物理的に移動する構造のため、視標の移動の高速化に限界があった。
【０００７】
また、上記の装置はそれぞれＤＶＡ動体視力またはＫＶＡ動体視力のどちらかのみしか測定することができず、これまでＤＶＡ動体視力とＫＶＡ動体視力の両方の相関を含めた動的視覚能力を測定できる装置は存在しなかった。
【特許文献１】特開平１１−１６４８１５号公報
【特許文献２】特開２０００−２０１８９３号公報
【発明の開示】
【発明が解決しようとする課題】
【０００８】
ＫＶＡ動体視力測定において指標の移動の高速化を実現するとともに、ＤＶＡ動体視力とＫＶＡ動体視力の両方の相関を含めた動的視覚能力を測定可能にした動体視力測定装置を提供する。
【課題を解決するための手段】
【０００９】
前記課題を解決するために、請求項１記載のごとく、動体表示手段の表示面を、被検者の位置に近い近接部と遠い遠隔部が連続するように形成するとともに、この表示面の遠隔部と近接部の間を動体の映像が移動するように表示する表示制御手段を設けた動体視力測定装置を提供する。
【００１０】
請求項２記載のごとく、前記表示制御手段は、被検者の位置と動体の映像との仮想的な距離と方向から動体の映像の角速度または角加速度を決定し、その値にしたがって動体の映像の速度や大きさを制御するものである動体視力測定装置を提供する。
【００１１】
請求項３記載のごとく、前記動体表示手段が、ＥＬ素子により形成されている動体視力測定装置を提供する。
【００１２】
請求項４記載のごとく、前記表示面が、凹曲面により構成されている動体視力測定装置を提供する。
【発明の効果】
【００１３】
請求項１記載のごとく、動体表示手段を被検者の位置に対して近接部および遠隔部をもつように形成したことにより、表示面に奥行きをもたせて遠近感のある動体の映像を表示することができ、測定時に物体を物理的に動かす必要が無いために、動体の映像の移動速度の高速化を図れる。
【００１４】
請求項２記載のごとく、現実に網膜上に投影されるべき像の角速度または角加速度を計算させ、その計算結果および被検者の位置と動体の映像との仮想的な距離や方向に従って動体の映像を表示することで、現実に即した動体の映像を表示することができ、実際的な測定評価が可能であるとともに実用的な動体視力の向上を図れる。
【００１５】
請求項３記載のごとく、ＥＬ（エレクトロルミネッセンス）素子により動体表示手段を構成したことで、スイッチング速度の速い高速な表示が可能となり、より速い速度で動体の映像を表示することができるとともに、視野角に優れた動体表示手段を備えた動体視力測定装置を得ることができる。
【００１６】
請求項４記載のごとく、動体表示手段の表示面を曲面で構成したことにより、被検者の視野角にわたって動体の映像を表示することができ、より現実に近い臨場感の下で実際的な動体視力の測定ができる。
【発明を実施するための最良の形態】
【００１７】
以下、図面に基づいて、本発明の詳細について述べる。第１図は本発明に係る動体視力測定装置の水平断面模式図である。
動体表示手段１は軸支部４と支持部５で支持されており、軸支部４を軸として動体表示手段１は回動自在に構成されている。さらに、動体表示手段１には表示制御手段（図示せず）を接続し、視標体や景色などの動体の映像の表示を制御する。
【００１８】
第２図は図１において動体表示手段１が実線図示の位置にあるときの正面図である。動体表示手段１を被検者の位置２からの視線方向に対して斜めになる位置に配置して、表示面に奥行きをもたせる。動体表示手段１には動体の映像として視標体の一つであるランドルト環３が表示されている。
【００１９】
ランドルト環３は動体表示手段１の左右方向、つまり被検者の位置２から見て奥から手前へ、または手前側から奥へと移動する。動体表示手段１の表示面は被検者の位置２からの視線に対して斜めになっており、被検者にはランドルト環３は歪んで見える。そのため、表示される視標の各点間の視角が表示面を正面から見た場合と等しくなるように、前記ランドルト環３は表示制御手段によって変形され、相似拡大または相似縮小して見えるように移動される。
【００２０】
表示制御手段は、動体の映像に設定された、被検者の位置２と動体の映像との仮想的な距離と移動方向に基づいて、現実に前記距離および前記方向にある物体や風景などの動体を目で見た場合に、網膜に投影される像の角速度または角加速度を計算し、その計算値にしたがって動体の映像の速度や大きさを制御する。
【００２１】
実際に物体を移動させたように動体の映像を表示することで、現実の動体のように見せることができる。一方で、実際には物体の移動を伴わないため、動体の映像の移動速度を高速化でき、実際的な動体視力の測定および動体視力の向上を図ることができる。
【００２２】
第３図は図１において動体表示手段１が破線図示の位置にあるときの正面図で、ＤＶＡ動体視力を測定する際には動体表示手段１をこの位置に配置する。
動体表示手段１には動体の映像として視標体の一つであるランドルト環３が表示されており、ランドルト環３を左右または上下方向に移動させて動体視力を測定する。
【００２３】
動体表示手段１を軸支部４で回動可能に構成することにより、被検者の位置２の視線に対して表示面を直行または斜交させることができる。表示面を被検者の位置２からの視線に対して直行させた場合はＤＶＡ動体視力を測定することができ、斜交させた場合はＤＶＡ動体視力とＫＶＡ動体視力の相関を含めた動的視覚能力を測定することができる。
【００２４】
第４図は動体視力測定装置の第２実施例を示す水平断面模式図である。前記実施例との違いは、２つの動体表示手段１を軸支部４で接続している点である。
前記動体表示手段１は蝶番などで接続されており、それぞれの動体表示手段１は軸支部４を軸に回動可能に構成されている。
【００２５】
ＤＶＡ動体視力を測定する際には破線図示の位置に動体表示手段１を配置し、ＫＶＡ動体視力またはＤＶＡ動体視力とＫＶＡ動体視力両方の相関を含めた動的視覚能力を測定する際には実線図示の位置に動体表示手段１を配置する。
【００２６】
被検者の位置２の正面から左右方向にかけて動体表示手段１を配置し、奥行きをもたせることで、より現実に即した遠近感のある動体の映像を表示することができるため、野球やサッカーなどの各種スポーツにおける選手から見た映像とともに動体の映像として野球やサッカーのボールなどを表示させたり、路上などを走行中の車両の運転者から見た交通標識や道路標示などを動体の映像として表示させたりして、眼球の移動によるＤＶＡ動体視力と水晶体の反応速度によるＫＶＡ動体視力の相関を含めた実際的な動体視力の測定ができ、また実際的な動体視力の向上が図れる。
【００２７】
第５図は動体視力測定装置の第３実施例を示す水平断面模式図である。前記各実施例との違いは、動体表示手段１をＥＬ素子からなるフレキシブルな材料で形成していることである。
動体表示手段１は軸支部４で軸支されており、支持部５を動かすことで表示面を湾曲させて凹曲面を形成することができる。
【００２８】
動体表示手段１は、液晶に比べてスイッチング速度が速いＥＬ素子を用いており、液晶ディスプレイに比べて、動体の映像の移動速度を高速化することができる。
また、ＥＬ素子は自発光であるため視野角に優れており、被検者の位置２からの視線方向に対して動体表示手段１を斜めに配置しても、十分な表示性能を有した動体視力測定装置を得られる。
【００２９】
第２実施例は軸支部４に折曲げ部分を有しており、その部分には動体の映像を表示できなかったが、本実施例では軸支部４の部分にも動体の映像を表示させることができるため、被検者の視野角にわたって動体の映像の表示が可能となり、より現実に近い臨場感を得ることができる。
【００３０】
ここで動体の映像とは、風景、景色などの画像のほかに仮名文字、漢字、アルファベット、アラビア数字、ローマ数字などの文字およびランドルト環やスネレン視標などの視標体、四角形、五角形などの図形を含む。
【図面の簡単な説明】
【００３１】
【図１】本発明に係る動体視力測定装置の水平断面模式図。
【図２】動体表示手段の正面図。
【図３】動体表示手段の第２正面図。
【図４】動体視力測定装置の第２実施例の水平断面模式図。
【図５】動体視力測定装置の第３実施例の水平断面模式図。
【符号の説明】
【００３２】
１    動体表示手段
２    位置
３    ランドルト環
４    軸支部
５    支持部
【図１】
2005253503.tif 000003
【図２】
2005253503.tif 000004
【図３】
2005253503.tif 000005
【図４】
2005253503.tif 000006
【図５】
2005253503.tif 000007